【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
記録プレートを積み重ねた堆積物が配置された記録プレート格納部と、前記堆積物から最上の前記記録プレートを取り上げる記録プレート移送手段と、この記録プレート移送手段から前記記録プレートを受け取り記録ユニット側に移送する給版ユニットと、前記記録ユニットから記録完了後の前記記録プレートを受け取って排出する排版ユニットとを有して構成する印刷用記録プレート供給装置であって、
前記記録プレート移送手段が、前記記録プレートを垂直及び水平の二方向に移送可能に構成してあることを特徴とする印刷用記録プレート供給装置。
【請求項２】
前記記録プレート移送手段は、前記堆積物から最上の前記記録プレートを着脱可能に吸着する吸着ユニットと、前記吸着ユニットを昇降動させる吸着ユニット昇降手段と、前記吸着ユニットを水平方向に移動させる吸着ユニット水平移動手段とを備えることを特徴とする請求項１に記載の印刷用記録プレート供給装置。
【請求項３】
前記吸着ユニット昇降手段は、前記記録プレート格納部の上方であって複数の前記堆積物に跨るように装置躯体内に配置され、且つ前記吸着ユニットを移動可能に担持した吸着ユニット担持レールと、この吸着ユニット担持レールを保持する一対のタイミングベルトと、これらのタイミングベルトを張架する上下のタイミングプーリと、一方の前記タイミングプーリに回転を与えるベルト作動軸と、当該ベルト作動軸を回転させるモータと、前記吸着ユニットの重量に釣り合う釣合錘手段とを備えることを特徴とする請求項２に記載の印刷用記録プレート供給装置。
【請求項４】
前記吸着ユニット水平移動手段は、前記吸着ユニットを移動可能に担持した吸着ユニット担持レールと、この吸着ユニット担持レールに装着されたラックギアと、このラックギアに噛み合うピニオンギアと、このピニオンギアを回転駆動するモータとを備えることを特徴とする請求項２に記載の印刷用記録プレート供給装置。
【請求項５】
前記釣合錘手段は、前記吸着ユニットの重量と釣り合う釣合重錘を、前記装置躯体に設けたガイドプーリを介してワイヤーで吊り、当該ワイヤーを前記吸着ユニット担持レールに係止して、昇降する前記吸着ユニットと前記釣合重錘とのバランスをとることを特徴とする請求項３に記載の印刷用記録プレート供給装置。
【請求項６】
前記吸着ユニットの重量を前記釣合重錘の重量より小さく設定したことを特徴とする請求項５に記載の印刷用記録プレート供給装置。
【請求項７】
前記装置躯体は、複数の前記記録プレート格納部毎に分割可能にしてあり、前記吸着ユニット担持レールは、前記記録プレート格納部毎に分割可能な複数の分割レールを有していて、相隣り合う前記分割レールを互いに結合手段で結合して構成してあり、前記ベルト作動軸は、前記記録プレート格納部毎に分割可能な複数の分割作動軸を有していて、相隣り合う前記分割作動軸を互いに結合手段で結合して構成してあることを特徴とする請求項３に記載の印刷用記録プレート供給装置。
【請求項８】
前記記録プレート格納部は、標準サイズの記録プレートの堆積物を二個又は二倍サイズの記録プレートの堆積物を一個のいずれかを選択的に格納できるようにしたことを特徴とする請求項１乃至請求項７の何れかの一に記載の印刷用記録プレート供給装置。
【手続補正２】
【補正対象書類名】明細書
【補正対象項目名】０００８
【補正方法】変更
【補正の内容】
【０００８】
上記の目的を達成するために、本発明の印刷用記録プレート供給装置は、記録プレートを積み重ねた堆積物が配置された記録プレート格納部と、堆積物から最上の記録プレートを取り上げる記録プレート移送手段と、この記録プレート移送手段から記録プレートを受け取り記録ユニット側に移送する給版ユニットと、記録ユニットから記録完了後の記録プレートを受け取って排出する排版ユニットとを有して構成する印刷用記録プレート供給装置であって、記録プレート移送手段が、記録プレートを垂直及び水平の二方向に移送可能に構成してあるものである。
【手続補正３】
【補正対象書類名】明細書
【補正対象項目名】００１１
【補正方法】変更
【補正の内容】
【００１１】
本発明の印刷用記録プレート供給装置は、記録プレートを積み重ねた堆積物が配置された記録プレート格納部と、堆積物から最上の記録プレートを取り上げる記録プレート移送手段と、この記録プレート移送手段から記録プレートを受け取り記録ユニット側に移送する給版ユニットと、記録ユニットから記録完了後の記録プレートを受け取って排出する排版ユニットとを有して構成する印刷用記録プレート供給装置であって、記録プレート移送手段が、記録プレートを垂直及び水平の二方向に移送可能に構成してあるものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
また、本発明の印刷用記録プレート供給装置は、上記した本発明の印刷用記録プレート供給装置において、堆積物から最上の記録プレートを着脱可能に吸着する吸着ユニットと、吸着ユニットを昇降動させる吸着ユニット昇降手段と、吸着ユニットを水平方向に移動させる吸着ユニット水平移動手段とから構成される。
【手続補正８】
【補正対象書類名】明細書
【補正対象項目名】００２０
【補正方法】変更
【補正の内容】
【００２０】
また、本発明の印刷用記録プレート供給装置は、上記した本発明の印刷用記録プレート供給装置において、吸着ユニット昇降手段は、記録プレート格納部の上方であって複数の堆積物に跨るように装置躯体内に配置され、且つ吸着ユニットを移動可能に担持した吸着ユニット担持レールと、この吸着ユニット担持レールを保持する一対のタイミングベルトと、これらのタイミングベルトを張架する上下のタイミングプーリと、一方のタイミングプーリに回転を与えるベルト作動軸と、当該ベルト作動軸を回転させるサーボモータと、吸着ユニットの重量に釣り合う釣合錘手段とから構成される。
【手続補正９】
【補正対象書類名】明細書
【補正対象項目名】００２２
【補正方法】変更
【補正の内容】
【００２２】
また、本発明の印刷用記録プレート供給装置は、上記した本発明の印刷用記録プレート供給装置において、吸着ユニット水平移動手段は、吸着ユニットを移動可能に担持した吸着ユニット担持レールと、この吸着ユニット担持レールに装着されたラックギアと、このラックギアに噛み合うピニオンギアと、このピニオンギアを回転駆動するモータとから構成される。
【手続補正１０】
【補正対象書類名】明細書
【補正対象項目名】００２４
【補正方法】変更
【補正の内容】
【００２４】
また、本発明の印刷用記録プレート供給装置は、上記した本発明の印刷用記録プレート供給装置において、釣合錘手段は、吸着ユニットの重量と釣り合う釣合重錘を、装置躯体に設けたガイドプーリを介してワイヤーで吊り、当該ワイヤーを吸着ユニット担持レールに係止して、昇降する吸着ユニットと釣合重錘とのバランスをとるようにしたものである。
【手続補正１１】
【補正対象書類名】明細書
【補正対象項目名】００３２
【補正方法】変更
【補正の内容】
【００３２】
また、本発明の印刷用記録プレート供給装置は、上記した本発明の印刷用記録プレート供給装置において、標準サイズの記録プレートの堆積物を二個又は二倍サイズの記録プレートの堆積物を一個のいずれかを選択的に格納できるように構成したものである。
【手続補正１２】
【補正対象書類名】明細書
【補正対象項目名】００３３
【補正方法】変更
【補正の内容】
【００３３】
かかる構成により、記録プレート格納部は、標準サイズの記録プレートを水平方向に隣接する領域に並べて増設することが可能になり、記録プレートの更なる大容量化を果たすことができる。